【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
（i）式Ｅ−Ｒ1ＣＨ＝ＣＨＲ2またはＺ−Ｒ1ＣＨ＝ＣＨＲ2（式中、Ｒ1およびＲ2は独立してＣ1〜Ｃ6パーフルオロアルキル基である）を有するヒドロフルオロカーボン、および
（ii）ＣＦ3ＣＦ＝ＣＨＦ、ＣＦ3ＣＨ＝ＣＦ2、ＣＨＦ2ＣＦ＝ＣＦ2、ＣＨＦ2ＣＨ＝ＣＨＦ、ＣＦ3ＣＦ＝ＣＨ2、ＣＦ3ＣＨ＝ＣＨＦ、ＣＨ2ＦＣＦ＝ＣＦ2、ＣＨＦ2ＣＨ＝ＣＦ2、ＣＨＦ2ＣＦ＝ＣＨＦ、ＣＨＦ2ＣＦ＝ＣＨ2、ＣＦ3ＣＨ＝ＣＨ2、ＣＨ3ＣＦ＝ＣＦ2、ＣＨ2ＦＣＨＣＦ2、ＣＨ2ＦＣＦ＝ＣＨＦ、ＣＨＦ2ＣＨ＝ＣＨＦ、ＣＦ3ＣＦ＝ＣＦＣＦ3、ＣＦ3ＣＦ2ＣＦ＝ＣＦ2、ＣＦ3ＣＦ＝ＣＨＣＦ3、ＣＦ3ＣＦ2ＣＦ＝ＣＨ2、ＣＦ3ＣＨ＝ＣＨＣＦ3、ＣＦ3ＣＦ2ＣＨ＝ＣＨ2、ＣＦ2＝ＣＨＣＦ2ＣＦ3、ＣＦ2＝ＣＦＣＨＦＣＦ3、ＣＦ2＝ＣＦＣＦ2ＣＨＦ2、ＣＨＦ2ＣＨ＝ＣＨＣＦ3、（ＣＦ3）2Ｃ＝ＣＨＣＦ3、ＣＦ3ＣＦ＝ＣＨＣＦ2ＣＦ3、ＣＦ3ＣＨ＝ＣＦＣＦ2ＣＦ3、（ＣＦ3）2ＣＦＣＨ＝ＣＨ2、ＣＦ3ＣＦ2ＣＦ2ＣＨ＝ＣＨ2、ＣＦ3（ＣＦ2）3ＣＦ＝ＣＦ2、ＣＦ3ＣＦ2ＣＦ＝ＣＦＣＦ2ＣＦ3、（ＣＦ3）2Ｃ＝Ｃ（ＣＦ3）2、（ＣＦ3）2ＣＦＣＦ＝ＣＨＣＦ3、ＣＦ2＝ＣＦＣＦ2ＣＨ2Ｆ、ＣＦ2＝ＣＦＣＨＦＣＨＦ2、ＣＨ2＝Ｃ（ＣＦ3）2、ＣＨ2ＣＦ2ＣＦ＝ＣＦ2、ＣＨ2ＦＣＦ＝ＣＦＣＨＦ2、ＣＨ2ＦＣＦ2ＣＦ＝ＣＦ2、ＣＦ2＝Ｃ（ＣＦ3）（ＣＨ3）、ＣＨ2＝Ｃ（ＣＨＦ2）（ＣＦ3）、ＣＨ2＝ＣＨＣＦ2ＣＨＦ2、ＣＦ2＝Ｃ（ＣＨＦ2）（ＣＨ3）、ＣＨＦ＝Ｃ（ＣＦ3）（ＣＨ3）、ＣＨ2＝Ｃ（ＣＨＦ2）2、ＣＦ3ＣＦ＝ＣＦＣＨ3、ＣＨ3ＣＦ＝ＣＨＣＦ3、ＣＦ2＝ＣＦＣＦ2ＣＦ2ＣＦ3、ＣＨＦ＝ＣＦＣＦ2ＣＦ2ＣＦ3、ＣＦ2＝ＣＨＣＦ2ＣＦ2ＣＦ3、ＣＦ2＝ＣＦＣＦ2ＣＦ2ＣＨＦ2、ＣＨＦ2ＣＦ＝ＣＦＣＦ2ＣＦ3、ＣＦ3ＣＦ＝ＣＦＣＦ2ＣＨＦ2、ＣＦ3ＣＦ＝ＣＦＣＨＦＣＦ3、ＣＨＦ＝ＣＦＣＦ（ＣＦ3）2、ＣＦ2＝ＣＦＣＨ（ＣＦ3）2、ＣＦ3ＣＨ＝Ｃ（ＣＦ3）2、ＣＦ2＝ＣＨＣＦ（ＣＦ3）2、ＣＨ2＝ＣＦＣＦ2ＣＦ2ＣＦ3、ＣＨＦ＝ＣＦＣＦ2ＣＦ2ＣＨＦ2、ＣＨ2＝Ｃ（ＣＦ3）ＣＦ2ＣＦ3、ＣＦ2＝ＣＨＣＨ（ＣＦ3）2、ＣＨＦ＝ＣＨＣＦ（ＣＦ3）2、ＣＦ2＝Ｃ（ＣＦ3）ＣＨ2ＣＦ3、ＣＨ2＝ＣＦＣＦ2ＣＦ2ＣＨＦ2、ＣＦ2＝ＣＨＣＦ2ＣＨ2ＣＦ3、ＣＦ3ＣＦ＝Ｃ（ＣＦ3）（ＣＨ3）、ＣＨ2＝ＣＦＣＨ（ＣＦ3）2、ＣＨＦ＝ＣＨＣＨ（ＣＦ3）2、ＣＨ2ＦＣＨ＝Ｃ（ＣＦ3）2、ＣＨ3ＣＦ＝Ｃ（ＣＦ3）2、ＣＨ2＝ＣＨＣＦ2ＣＨＦＣＦ3、ＣＨ2Ｃ（ＣＦ3）ＣＨ2ＣＦ3、（ＣＦ3）2Ｃ＝ＣＨＣ2Ｆ5、（ＣＦ3）2ＣＦＣＦ＝ＣＨＣＦ3、ＣＨ2＝ＣＨＣ（ＣＦ3）3、（ＣＦ3）2Ｃ＝Ｃ（ＣＨ3）（ＣＦ3）、ＣＨ2＝ＣＦＣＦ2ＣＨ（ＣＦ3）2、ＣＦ3ＣＦ＝Ｃ（ＣＨ3）ＣＦ2ＣＦ3、ＣＦ3ＣＨ＝ＣＨＣＨ（ＣＦ3）2、ＣＨ2＝ＣＨＣＦ2ＣＦ2ＣＦ2ＣＨＦ2、（ＣＦ3）2Ｃ＝ＣＨＣＦ2ＣＨ3、ＣＨ2＝Ｃ（ＣＦ3）ＣＨ2Ｃ2Ｆ5、ＣＨ2＝ＣＨＣＨ2ＣＦ2Ｃ2Ｆ5、ＣＨ2＝ＣＨＣＨ2ＣＦ2Ｃ2Ｆ5、ＣＦ3ＣＦ2ＣＦ＝ＣＦＣ2Ｈ5、ＣＨ2＝ＣＨＣＨ2ＣＦ（ＣＦ3）2、ＣＦ3ＣＦ＝ＣＨＣＨ（ＣＦ3）（ＣＨ3）、（ＣＦ3）2Ｃ＝ＣＦＣ2Ｈ5、シクロ−ＣＦ2ＣＦ2ＣＦ2ＣＨ＝ＣＨ−、シクロ−ＣＦ2ＣＦ2ＣＨ＝ＣＨ−、ＣＦ3ＣＦ2ＣＦ2Ｃ（ＣＨ3）＝ＣＨ2、ＣＦ3ＣＦ2ＣＦ2ＣＨ＝ＣＨＣＨ3、シクロ−ＣＦ2ＣＦ2ＣＦ＝ＣＦ−、シクロ−ＣＦ2ＣＦ＝ＣＦＣＦ2ＣＦ2−、シクロ−ＣＦ2ＣＦ＝ＣＦＣＦ2ＣＦ2ＣＦ2、ＣＦ3ＣＦ2ＣＦ2ＣＦ2ＣＨ＝ＣＨ2、ＣＦ3ＣＨ＝ＣＨＣＦ2ＣＦ3、ＣＦ2ＣＦ2ＣＨ＝ＣＨＣＦ2ＣＦ3、ＣＦ3ＣＨ＝ＣＨＣＦ2ＣＦ2ＣＦ3、ＣＦ3ＣＦ＝ＣＦＣ2Ｆ5、ＣＦ3ＣＦ＝ＣＦＣＦ2ＣＦ2Ｃ2Ｆ5、ＣＦ3ＣＦ2ＣＦ＝ＣＦＣＦ2Ｃ2Ｆ5、ＣＦ3��Ｈ＝ＣＦＣＦ2ＣＦ2Ｃ2Ｆ5、ＣＦ3ＣＦ＝ＣＨＣＦ2ＣＦ2Ｃ2Ｆ5、ＣＦ3ＣＦ2ＣＨ＝ＣＦＣＦ2Ｃ2Ｆ5、ＣＦ3ＣＦ2ＣＦ＝ＣＨＣＦ2Ｃ2Ｆ5、Ｃ2Ｆ5ＣＦ2ＣＦ＝ＣＨＣＨ3、Ｃ2Ｆ5ＣＦ＝ＣＨＣＨ3、（ＣＦ3）2Ｃ＝ＣＨＣＨ3、ＣＦ3Ｃ（ＣＨ3）＝ＣＨＣＦ3、ＣＨＦ＝ＣＦＣ2Ｆ5、ＣＨＦ2ＣＦ＝ＣＦＣＦ3、（ＣＦ3）2Ｃ＝ＣＨＦ、ＣＨ2ＦＣＦ＝ＣＦＣＦ3、ＣＨＦ＝ＣＨＣＦ2ＣＦ3、ＣＨＦ2ＣＨ＝ＣＦＣＦ3、ＣＨＦ＝ＣＦＣＨＦＣＦ3、ＣＦ3ＣＨ＝ＣＦＣＨＦ2、ＣＨＦ＝ＣＦＣＦ2ＣＨＦ2、ＣＨＦ2ＣＦ＝ＣＦＣＨＦ2、ＣＨ2ＣＦ＝ＣＦＣＦ3、ＣＨ2ＦＣＨ＝ＣＦＣＦ3、ＣＨ2＝ＣＦＣＨＦＣＦ3、ＣＨ2＝ＣＦＣＦ2ＣＨＦ2、ＣＦ3ＣＨ＝ＣＦＣＨ2Ｆ、ＣＨＦ＝ＣＦＣＨ2ＣＦ3、ＣＨＦ＝ＣＨＣＨＦＣＦ3、ＣＨＦ＝ＣＨＣＦ2ＣＨＦ2、ＣＨＦ2ＣＦ＝ＣＨＣＨＦ2、ＣＨＦ＝ＣＦＣＨＦＣＨＦ2、ＣＦ3ＣＦ＝ＣＨＣＨ3、ＣＦ2＝ＣＨＣＦ2Ｂｒ、ＣＨＦ＝ＣＢｒＣＨＦ2、ＣＨＢｒ＝ＣＨＣＦ3、ＣＦ3ＣＢｒ＝ＣＦＣＦ3、ＣＨ2＝ＣＢｒＣＦ2ＣＦ3、ＣＨＢｒ＝ＣＨＣＦ2ＣＦ3、ＣＨ2＝ＣＨＣＦ2ＣＦ2Ｂｒ、ＣＨ2＝ＣＨＣＢｒＦＣＦ3、ＣＨ3ＣＢｒ＝ＣＨＣＦ3、ＣＦ3ＣＢｒ＝ＣＨＣＨ3、（ＣＦ3）2Ｃ＝ＣＨＢｒ、ＣＦ3ＣＦ＝ＣＢｒＣＦ2ＣＦ3、Ｅ−ＣＨＦ2ＣＢｒ＝ＣＦＣ2Ｆ5、Ｚ−ＣＨＦ2ＣＢｒ＝ＣＦＣ2Ｆ5、ＣＦ2＝ＣＢｒＣＨＦＣ2Ｆ5、（ＣＦ3）2ＣＦＣＢｒ＝ＣＨ2、ＣＨＢｒ＝ＣＦ（ＣＦ2）2ＣＨＦ2、ＣＨ2＝ＣＢｒＣＦ2Ｃ2Ｆ5、ＣＦ2＝Ｃ（ＣＨ2Ｂｒ）ＣＦ3、ＣＨ2＝Ｃ（ＣＢｒＦ2）ＣＦ3、（ＣＦ3）2ＣＨＣＨ＝ＣＨＢｒ、（ＣＦ3）2Ｃ＝ＣＨＣＨ2Ｂｒ、ＣＨ2＝ＣＨＣＦ（ＣＦ3）ＣＢｒＦ2、ＣＦ2＝ＣＨＣＦ2ＣＨ2ＣＢｒＦ2、ＣＦＢｒ＝ＣＨＣＦ3、ＣＦＢｒ＝ＣＦＣＦ3、ＣＦ3ＣＦ2ＣＦ2ＣＢｒ＝ＣＨ2およびＣＦ3（ＣＦ2）3ＣＢｒ＝ＣＨ2からなる群から選択されたフルオロカーボンまたはヒドロフルオロカーボン
からなる群から選択された少なくとも１種のフルオロカーボンまたはヒドロフルオロカーボンを含む噴射剤。
【請求項２】
請求項１に記載の噴射剤を含むことを特徴とする噴霧可能な組成物。
【請求項３】
請求項１に記載の噴射剤を含むことを特徴とするエアゾール分配装置。
【請求項４】
請求項３に記載のエアゾール分配装置を含むことを特徴とする密封容器。
【請求項５】
エアゾール製品を製造する方法であって、噴射剤として機能する請求項１に記載の組成物をエアゾール容器内の活性成分に添加する工程を含むことを特徴とする方法。
【請求項６】
エアゾール製品を製造する方法であって、不飽和フルオロカーボンをエアゾール容器内の活性成分に添加する工程を含み、前記不飽和フルオロカーボンは噴射剤として機能し、ＣＦ3ＣＨ＝ＣＨＣＦ3、ＣＦ3ＣＨ＝ＣＨＣ2Ｆ5、ＣＦ3ＣＨ＝ＣＨＣＦ2Ｃ2Ｆ5、ＣＦ3ＣＨ＝ＣＨＣＦ（ＣＦ3）2、Ｃ2Ｆ5ＣＨ＝ＣＨＣ2Ｆ5、ＣＦ3ＣＨ＝ＣＨ（ＣＦ2）3ＣＦ3、ＣＦ3ＣＨ＝ＣＨＣＦ2ＣＦ（ＣＦ3）2、ＣＦ3ＣＨ＝ＣＨＣＦ（ＣＦ3）Ｃ2Ｆ5、ＣＦ3ＣＨ＝ＣＨＣ（ＣＦ3）3、Ｃ2Ｆ5ＣＨ＝ＣＨＣＦ2Ｃ2Ｆ5、Ｃ2Ｆ5ＣＨ＝ＣＨＣＦ（ＣＦ3）2、ＣＦ3ＣＨ＝ＣＨ（ＣＦ2）4ＣＦ3、ＣＦ3ＣＨ＝ＣＨＣＦ2ＣＦ2ＣＦ（ＣＦ3）2、ＣＦ3ＣＨ＝ＣＨＣ（ＣＦ3）2Ｃ2Ｆ5、Ｃ2Ｆ5ＣＨ＝ＣＨ（ＣＦ2）3ＣＦ3、Ｃ2Ｆ5ＣＨ＝ＣＨＣＦ2ＣＦ（ＣＦ3）2、Ｃ2Ｆ5ＣＨ＝ＣＨＣＦ（ＣＦ3）Ｃ2Ｆ5、Ｃ2Ｆ5ＣＨ＝ＣＨＣ（ＣＦ3）3、Ｃ2Ｆ5ＣＦ2ＣＨ＝ＣＨＣＦ2Ｃ2Ｆ5、（ＣＦ3）2ＣＦＣＨ＝ＣＨＣＦ（ＣＦ3）2、Ｃ2Ｆ5ＣＨ＝ＣＨＣＦ（ＣＦ3）2、ＣＦ3ＣＨ＝ＣＨ（ＣＦ2）5ＣＦ3、ＣＦ3ＣＨ＝ＣＨＣＦ（ＣＦ3）（ＣＦ2）2Ｃ2Ｆ5、ＣＦ3ＣＨ＝ＣＨＣ（ＣＦ3）2ＣＦ2Ｃ2Ｆ5、Ｃ2Ｆ5ＣＨ＝ＣＨ（ＣＦ2）4ＣＦ3、Ｃ2Ｆ5ＣＨ＝ＣＨＣＦ2ＣＦ2ＣＦ（ＣＦ3）2、Ｃ2Ｆ5ＣＨ＝ＣＨＣ（ＣＦ3）2Ｃ2Ｆ5、Ｃ2Ｆ5ＣＦ2ＣＨ＝ＣＨ（ＣＦ2）3ＣＦ3、Ｃ2Ｆ5ＣＦ2ＣＨ＝ＣＨＣＦ2ＣＦ（ＣＦ3）2、Ｃ2Ｆ5ＣＦ2ＣＨ＝ＣＨＣＦ（ＣＦ3）Ｃ2Ｆ5、Ｃ2Ｆ5ＣＦ2ＣＨ＝ＣＨＣ（ＣＦ3）3、（ＣＦ3）2ＣＦＣＨ＝ＣＨ（ＣＦ2）3ＣＦ3、（ＣＦ3）2ＣＦＣＨ＝ＣＨＣＦ2ＣＦ（ＣＦ3）2、（ＣＦ3）2ＣＦＣＨ＝ＣＨＣＦ（ＣＦ3）Ｃ2Ｆ5、（ＣＦ3）2ＣＦＣＨ＝ＣＨＣ（ＣＦ3）3、Ｃ2Ｆ5ＣＨ＝ＣＨ（ＣＦ2）5ＣＦ3、Ｃ2Ｆ5ＣＨ＝ＣＨＣＦ（ＣＦ3）（ＣＦ2）2Ｃ2Ｆ5、Ｃ2Ｆ5ＣＨ＝ＣＨＣ（ＣＦ3）2ＣＦ2Ｃ2Ｆ5、Ｃ2Ｆ5ＣＦ2ＣＨ＝ＣＨ（ＣＦ2）4ＣＦ3、Ｃ2Ｆ5ＣＦ2ＣＨ＝ＣＨＣＦ2ＣＦ2ＣＦ（ＣＦ3）2、Ｃ2Ｆ5ＣＦ2ＣＨ＝ＣＨＣ（ＣＦ3）2Ｃ2Ｆ5、（ＣＦ3）2ＣＦＣＨ＝ＣＨ（ＣＦ2）44ＣＦ3、（ＣＦ3）2ＣＦＣＨ＝ＣＨＣＦ2ＣＦ2ＣＦ（ＣＦ3）2、（ＣＦ3）2ＣＦＣＨ＝ＣＨＣ（ＣＦ3）2Ｃ2Ｆ5、ＣＦ3（ＣＦ2）3ＣＨ＝ＣＨ（ＣＦ2）3ＣＦ3、ＣＦ3（ＣＦ2）3ＣＨ＝ＣＨＣＦ2ＣＦ（ＣＦ3）2、ＣＦ3（ＣＦ2）3ＣＨ＝ＣＨＣＦ（ＣＦ3）Ｃ2Ｆ5、ＣＦ3（ＣＦ2）3ＣＨ＝ＣＨＣ（ＣＦ3）3、（ＣＦ3）2ＣＦＣＦ2ＣＨ＝ＣＨＣＦ2ＣＦ（ＣＦ3）2、（ＣＦ3）2ＣＦＣＦ2ＣＨ＝ＣＨＣＦ（ＣＦ3）Ｃ2Ｆ5、（ＣＦ3）2ＣＦＣＦ2ＣＨ＝ＣＨＣ（ＣＦ3）3、Ｃ2Ｆ5ＣＦ（ＣＦ3）ＣＨ＝ＣＨＣＦ（ＣＦ3）Ｃ2Ｆ5、Ｃ2Ｆ5ＣＦ（ＣＦ3）ＣＨ＝ＣＨＣ（ＣＦ3）3または（ＣＦ3）3ＣＣＨ＝ＣＨＣ（ＣＦ3）3であることを特徴とする方法。
【手続補正２】
【補正対象書類名】明細書
【補正対象項目名】００８１
【補正方法】変更
【補正の内容】
【００８１】
同様の配合物を本開示の組成物を用いて家庭用消毒薬、殺虫剤噴霧器および噴霧塗料のために開発することも可能である。
本発明は以下の実施の態様を含むものである。
１．（i）式Ｅ−Ｒ1ＣＨ＝ＣＨＲ2またはＺ−Ｒ1ＣＨ＝ＣＨＲ2（式中、Ｒ1およびＲ2は独立してＣ1〜Ｃ6パーフルオロアルキル基である）を有するヒドロフルオロカーボン、および
（ii）ＣＦ3ＣＦ＝ＣＨＦ、ＣＦ3ＣＨ＝ＣＦ2、ＣＨＦ2ＣＦ＝ＣＦ2、ＣＨＦ2ＣＨ＝ＣＨＦ、ＣＦ3ＣＦ＝ＣＨ2、ＣＦ3ＣＨ＝ＣＨＦ、ＣＨ2ＦＣＦ＝ＣＦ2、ＣＨＦ2ＣＨ＝ＣＦ2、ＣＨＦ2ＣＦ＝ＣＨＦ、ＣＨＦ2ＣＦ＝ＣＨ2、ＣＦ3ＣＨ＝ＣＨ2、ＣＨ3ＣＦ＝ＣＦ2、ＣＨ2ＦＣＨＣＦ2、ＣＨ2ＦＣＦ＝ＣＨＦ、ＣＨＦ2ＣＨ＝ＣＨＦ、ＣＦ3ＣＦ＝ＣＦＣＦ3、ＣＦ3ＣＦ2ＣＦ＝ＣＦ2、ＣＦ3ＣＦ＝ＣＨＣＦ3、ＣＦ3ＣＦ2ＣＦ＝ＣＨ2、ＣＦ3ＣＨ＝ＣＨＣＦ3、ＣＦ3ＣＦ2ＣＨ＝ＣＨ2、ＣＦ2＝ＣＨＣＦ2ＣＦ3、ＣＦ2＝ＣＦＣＨＦＣＦ3、ＣＦ2＝ＣＦＣＦ2ＣＨＦ2、ＣＨＦ2ＣＨ＝ＣＨＣＦ3、（ＣＦ3）2Ｃ＝ＣＨＣＦ3、ＣＦ3ＣＦ＝ＣＨＣＦ2ＣＦ3、ＣＦ3ＣＨ＝ＣＦＣＦ2ＣＦ3、（ＣＦ3）2ＣＦＣＨ＝ＣＨ2、ＣＦ3ＣＦ2ＣＦ2ＣＨ＝ＣＨ2、ＣＦ3（ＣＦ2）3ＣＦ＝ＣＦ2、ＣＦ3ＣＦ2ＣＦ＝ＣＦＣＦ2ＣＦ3、（ＣＦ3）2Ｃ＝Ｃ（ＣＦ3）2、（ＣＦ3）2ＣＦＣＦ＝ＣＨＣＦ3、ＣＦ2＝ＣＦＣＦ2ＣＨ2Ｆ、ＣＦ2＝ＣＦＣＨＦＣＨＦ2、ＣＨ2＝Ｃ（ＣＦ3）2、ＣＨ2ＣＦ2ＣＦ＝ＣＦ2、ＣＨ2ＦＣＦ＝ＣＦＣＨＦ2、ＣＨ2ＦＣＦ2ＣＦ＝ＣＦ2、ＣＦ2＝Ｃ（ＣＦ3）（ＣＨ3）、ＣＨ2＝Ｃ（ＣＨＦ2）（ＣＦ3）、ＣＨ2＝ＣＨＣＦ2ＣＨＦ2、ＣＦ2＝Ｃ（ＣＨＦ2）（ＣＨ3）、ＣＨＦ＝Ｃ（ＣＦ3）（ＣＨ3）、ＣＨ2＝Ｃ（ＣＨＦ2）2、ＣＦ3ＣＦ＝ＣＦＣＨ3、ＣＨ3ＣＦ＝ＣＨＣＦ3、ＣＦ2＝ＣＦＣＦ2ＣＦ2ＣＦ3、ＣＨＦ＝ＣＦＣＦ2ＣＦ2ＣＦ3、ＣＦ2＝ＣＨＣＦ2ＣＦ2ＣＦ3、ＣＦ2＝ＣＦＣＦ2ＣＦ2ＣＨＦ2、ＣＨＦ2ＣＦ＝ＣＦＣＦ2ＣＦ3、ＣＦ3ＣＦ＝ＣＦＣＦ2ＣＨＦ2、ＣＦ3ＣＦ＝ＣＦＣＨＦＣＦ3、ＣＨＦ＝ＣＦＣＦ（ＣＦ3）2、ＣＦ2＝ＣＦＣＨ（ＣＦ3）2、ＣＦ3ＣＨ＝Ｃ（ＣＦ3）2、ＣＦ2＝ＣＨＣＦ（ＣＦ3）2、ＣＨ2＝ＣＦＣＦ2ＣＦ2ＣＦ3、ＣＨＦ＝ＣＦＣＦ2ＣＦ2ＣＨＦ2、ＣＨ2＝Ｃ（ＣＦ3）ＣＦ2ＣＦ3、ＣＦ2＝ＣＨＣＨ（ＣＦ3）2、ＣＨＦ＝ＣＨＣＦ（ＣＦ3）2、ＣＦ2＝Ｃ（ＣＦ3）ＣＨ2ＣＦ3、ＣＨ2＝ＣＦＣＦ2ＣＦ2ＣＨＦ2、ＣＦ2＝ＣＨＣＦ2ＣＨ2ＣＦ3、ＣＦ3ＣＦ＝Ｃ（ＣＦ3）（ＣＨ3）、ＣＨ2＝ＣＦＣＨ（ＣＦ3）2、ＣＨＦ＝ＣＨＣＨ（ＣＦ3）2、ＣＨ2ＦＣＨ＝Ｃ（ＣＦ3）2、ＣＨ3ＣＦ＝Ｃ（ＣＦ3）2、ＣＨ2＝ＣＨＣＦ2ＣＨＦＣＦ3、ＣＨ2Ｃ（ＣＦ3）ＣＨ2ＣＦ3、（ＣＦ3）2Ｃ＝ＣＨＣ2Ｆ5、（ＣＦ3）2ＣＦＣＦ＝ＣＨＣＦ3、ＣＨ2＝ＣＨＣ（ＣＦ3）3、（ＣＦ3）2Ｃ＝Ｃ（ＣＨ3）（ＣＦ3）、ＣＨ2＝ＣＦＣＦ2ＣＨ（ＣＦ3）2、ＣＦ3ＣＦ＝Ｃ（ＣＨ3）ＣＦ2ＣＦ3、ＣＦ3ＣＨ＝ＣＨＣＨ（ＣＦ3）2、ＣＨ2＝ＣＨＣＦ2ＣＦ2ＣＦ2ＣＨＦ2、（ＣＦ3）2Ｃ＝ＣＨＣＦ2ＣＨ3、ＣＨ2＝Ｃ（ＣＦ3）ＣＨ2Ｃ2Ｆ5、ＣＨ2＝ＣＨＣＨ2ＣＦ2Ｃ2Ｆ5、ＣＨ2＝ＣＨＣＨ2ＣＦ2Ｃ2Ｆ5、ＣＦ3ＣＦ2ＣＦ＝ＣＦＣ2Ｈ5、ＣＨ2＝ＣＨＣＨ2ＣＦ（ＣＦ3）2、ＣＦ3ＣＦ＝ＣＨＣＨ（ＣＦ3）（ＣＨ3）、（ＣＦ3）2Ｃ＝ＣＦＣ2Ｈ5、シクロ−ＣＦ2ＣＦ2ＣＦ2ＣＨ＝ＣＨ−、シクロ−ＣＦ2ＣＦ2ＣＨ＝ＣＨ−、ＣＦ3ＣＦ2ＣＦ2Ｃ（ＣＨ3）＝ＣＨ2、ＣＦ3ＣＦ2ＣＦ2ＣＨ＝ＣＨＣＨ3、シクロ−ＣＦ2ＣＦ2ＣＦ＝ＣＦ−、シクロ−ＣＦ2ＣＦ＝ＣＦＣＦ2ＣＦ2−、シクロ−ＣＦ2ＣＦ＝ＣＦＣＦ2ＣＦ2ＣＦ2、ＣＦ3ＣＦ2ＣＦ2ＣＦ2ＣＨ＝ＣＨ2、ＣＦ3ＣＨ＝ＣＨＣＦ2ＣＦ3、ＣＦ2ＣＦ2ＣＨ＝ＣＨＣＦ2ＣＦ3、ＣＦ3ＣＨ＝ＣＨＣＦ2ＣＦ2ＣＦ3、ＣＦ3ＣＦ＝ＣＦＣ2Ｆ5、ＣＦ3ＣＦ＝ＣＦＣＦ2ＣＦ2Ｃ2Ｆ5、ＣＦ3ＣＦ2ＣＦ＝ＣＦＣＦ2Ｃ2Ｆ5、ＣＦ3��Ｈ＝ＣＦＣＦ2ＣＦ2Ｃ2Ｆ5、ＣＦ3ＣＦ＝ＣＨＣＦ2ＣＦ2Ｃ2Ｆ5、ＣＦ3ＣＦ2ＣＨ＝ＣＦＣＦ2Ｃ2Ｆ5、ＣＦ3ＣＦ2ＣＦ＝ＣＨＣＦ2Ｃ2Ｆ5、Ｃ2Ｆ5ＣＦ2ＣＦ＝ＣＨＣＨ3、Ｃ2Ｆ5ＣＦ＝ＣＨＣＨ3、（ＣＦ3）2Ｃ＝ＣＨＣＨ3、ＣＦ3Ｃ（ＣＨ3）＝ＣＨＣＦ3、ＣＨＦ＝ＣＦＣ2Ｆ5、ＣＨＦ2ＣＦ＝ＣＦＣＦ3、（ＣＦ3）2Ｃ＝ＣＨＦ、ＣＨ2ＦＣＦ＝ＣＦＣＦ3、ＣＨＦ＝ＣＨＣＦ2ＣＦ3、ＣＨＦ2ＣＨ＝ＣＦＣＦ3、ＣＨＦ＝ＣＦＣＨＦＣＦ3、ＣＦ3ＣＨ＝ＣＦＣＨＦ2、ＣＨＦ＝ＣＦＣＦ2ＣＨＦ2、ＣＨＦ2ＣＦ＝ＣＦＣＨＦ2、ＣＨ2ＣＦ＝ＣＦＣＦ3、ＣＨ2ＦＣＨ＝ＣＦＣＦ3、ＣＨ2＝ＣＦＣＨＦＣＦ3、ＣＨ2＝ＣＦＣＦ2ＣＨＦ2、ＣＦ3ＣＨ＝ＣＦＣＨ2Ｆ、ＣＨＦ＝ＣＦＣＨ2ＣＦ3、ＣＨＦ＝ＣＨＣＨＦＣＦ3、ＣＨＦ＝ＣＨＣＦ2ＣＨＦ2、ＣＨＦ2ＣＦ＝ＣＨＣＨＦ2、ＣＨＦ＝ＣＦＣＨＦＣＨＦ2、ＣＦ3ＣＦ＝ＣＨＣＨ3、ＣＦ2＝ＣＨＣＦ2Ｂｒ、ＣＨＦ＝ＣＢｒＣＨＦ2、ＣＨＢｒ＝ＣＨＣＦ3、ＣＦ3ＣＢｒ＝ＣＦＣＦ3、ＣＨ2＝ＣＢｒＣＦ2ＣＦ3、ＣＨＢｒ＝ＣＨＣＦ2ＣＦ3、ＣＨ2＝ＣＨＣＦ2ＣＦ2Ｂｒ、ＣＨ2＝ＣＨＣＢｒＦＣＦ3、ＣＨ3ＣＢｒ＝ＣＨＣＦ3、ＣＦ3ＣＢｒ＝ＣＨＣＨ3、（ＣＦ3）2Ｃ＝ＣＨＢｒ、ＣＦ3ＣＦ＝ＣＢｒＣＦ2ＣＦ3、Ｅ−ＣＨＦ2ＣＢｒ＝ＣＦＣ2Ｆ5、Ｚ−ＣＨＦ2ＣＢｒ＝ＣＦＣ2Ｆ5、ＣＦ2＝ＣＢｒＣＨＦＣ2Ｆ5、（ＣＦ3）2ＣＦＣＢｒ＝ＣＨ2、ＣＨＢｒ＝ＣＦ（ＣＦ2）2ＣＨＦ2、ＣＨ2＝ＣＢｒＣＦ2Ｃ2Ｆ5、ＣＦ2＝Ｃ（ＣＨ2Ｂｒ）ＣＦ3、ＣＨ2＝Ｃ（ＣＢｒＦ2）ＣＦ3、（ＣＦ3）2ＣＨＣＨ＝ＣＨＢｒ、（ＣＦ3）2Ｃ＝ＣＨＣＨ2Ｂｒ、ＣＨ2＝ＣＨＣＦ（ＣＦ3）ＣＢｒＦ2、ＣＦ2＝ＣＨＣＦ2ＣＨ2ＣＢｒＦ2、ＣＦＢｒ＝ＣＨＣＦ3、ＣＦＢｒ＝ＣＦＣＦ3、ＣＦ3ＣＦ2ＣＦ2ＣＢｒ＝ＣＨ2およびＣＦ3（ＣＦ2）3ＣＢｒ＝ＣＨ2からなる群から選択されたフルオロカーボンまたはヒドロフルオロカーボン
からなる群から選択された少なくとも１種のフルオロカーボンまたはヒドロフルオロカーボンを含む噴射剤。
２．Ｒ1およびＲ2が、独立して、ＣＦ3、Ｃ2Ｆ5、ＣＦ2ＣＦ2ＣＦ3、ＣＦ（ＣＦ3）2、ＣＦ2ＣＦ2ＣＦ2ＣＦ3、ＣＦ（ＣＦ3）ＣＦ2ＣＦ3、ＣＦ2ＣＦ（ＣＦ3）2、Ｃ（ＣＦ3）3、ＣＦ2ＣＦ2ＣＦ2ＣＦ2ＣＦ3、ＣＦ2ＣＦ2ＣＦ（ＣＦ3）2、Ｃ（ＣＦ3）2Ｃ2Ｆ5、ＣＦ2ＣＦ2ＣＦ2ＣＦ2ＣＦ2ＣＦ3、ＣＦ（ＣＦ3）ＣＦ2ＣＦ2Ｃ2Ｆ5またはＣ（ＣＦ3）2ＣＦ2Ｃ2Ｆ5であることを特徴とする前記１に記載の噴射剤。
３．前記ヒドロフルオロカーボンが、ＣＦ3ＣＨ＝ＣＨＣＦ3、ＣＦ3ＣＨ＝ＣＨＣ2Ｆ5、ＣＦ3ＣＨ＝ＣＨＣＦ2Ｃ2Ｆ5、ＣＦ3ＣＨ＝ＣＨＣＦ（ＣＦ3）2、Ｃ2Ｆ5ＣＨ＝ＣＨＣ2Ｆ5、ＣＦ3ＣＨ＝ＣＨ（ＣＦ2）3ＣＦ3、ＣＦ3ＣＨ＝ＣＨＣＦ2ＣＦ（ＣＦ3）2、ＣＦ3ＣＨ＝ＣＨＣＦ（ＣＦ3）Ｃ2Ｆ5、ＣＦ3ＣＨ＝ＣＨＣ（ＣＦ3）3、Ｃ2Ｆ5ＣＨ＝ＣＨＣＦ2Ｃ2Ｆ5、Ｃ2Ｆ5ＣＨ＝ＣＨＣＦ（ＣＦ3）2、ＣＦ3ＣＨ＝ＣＨ（ＣＦ2）4ＣＦ3、ＣＦ3ＣＨ＝ＣＨＣＦ2ＣＦ2ＣＦ（ＣＦ3）2、ＣＦ3ＣＨ＝ＣＨＣ（ＣＦ3）2Ｃ2Ｆ5、Ｃ2Ｆ5ＣＨ＝ＣＨ（ＣＦ2）3ＣＦ3、Ｃ2Ｆ5ＣＨ＝ＣＨＣＦ2ＣＦ（ＣＦ3）2、Ｃ2Ｆ5ＣＨ＝ＣＨＣＦ（ＣＦ3）Ｃ2Ｆ5、Ｃ2Ｆ5ＣＨ＝ＣＨＣ（ＣＦ3）3、Ｃ2Ｆ5ＣＦ2ＣＨ＝ＣＨＣＦ2Ｃ2Ｆ5、（ＣＦ3）2ＣＦＣＨ＝ＣＨＣＦ（ＣＦ3）2、Ｃ2Ｆ5ＣＨ＝ＣＨＣＦ（ＣＦ3）2、ＣＦ3ＣＨ＝ＣＨ（ＣＦ2）5ＣＦ3、ＣＦ3ＣＨ＝ＣＨＣＦ（ＣＦ3）（ＣＦ2）2Ｃ2Ｆ5、ＣＦ3ＣＨ＝ＣＨＣ（ＣＦ3）2ＣＦ2Ｃ2Ｆ5、Ｃ2Ｆ5ＣＨ＝ＣＨ（ＣＦ2）4ＣＦ3、Ｃ2Ｆ5ＣＨ＝ＣＨＣＦ2ＣＦ2ＣＦ（ＣＦ3）2、Ｃ2Ｆ5ＣＨ＝ＣＨＣ（ＣＦ3）2Ｃ2Ｆ5、Ｃ2Ｆ5ＣＦ2ＣＨ＝ＣＨ（ＣＦ2）3ＣＦ3、Ｃ2Ｆ5ＣＦ2ＣＨ＝ＣＨＣＦ2ＣＦ（ＣＦ3）2、Ｃ2Ｆ5ＣＦ2ＣＨ＝ＣＨＣＦ（ＣＦ3）Ｃ2Ｆ5、Ｃ2Ｆ5ＣＦ2ＣＨ＝ＣＨＣ（ＣＦ3）3、（ＣＦ3）2ＣＦＣＨ＝ＣＨ（ＣＦ2）3ＣＦ3、（ＣＦ3）2ＣＦＣＨ＝ＣＨＣＦ2ＣＦ（ＣＦ3）2、（ＣＦ3）2ＣＦＣＨ＝ＣＨＣＦ（ＣＦ3）Ｃ2Ｆ5、（ＣＦ3）2ＣＦＣＨ＝ＣＨＣ（ＣＦ3）3、Ｃ2Ｆ5ＣＨ＝ＣＨ（ＣＦ2）5ＣＦ3、Ｃ2Ｆ5ＣＨ＝ＣＨＣＦ（ＣＦ3）（ＣＦ2）2Ｃ2Ｆ5、Ｃ2Ｆ5ＣＨ＝ＣＨＣ（ＣＦ3）2ＣＦ2Ｃ2Ｆ5、Ｃ2Ｆ5ＣＦ2ＣＨ＝ＣＨ（ＣＦ2）4ＣＦ3、Ｃ2Ｆ5ＣＦ2ＣＨ＝ＣＨＣＦ2ＣＦ2ＣＦ（ＣＦ3）2、Ｃ2Ｆ5ＣＦ2ＣＨ＝ＣＨＣ（ＣＦ3）2Ｃ2Ｆ5、（ＣＦ3）2ＣＦＣＨ＝ＣＨ（ＣＦ2）44ＣＦ3、（ＣＦ3）2ＣＦＣＨ＝ＣＨＣＦ2ＣＦ2ＣＦ（ＣＦ3）2、（ＣＦ3）2ＣＦＣＨ＝ＣＨＣ（ＣＦ3）2Ｃ2Ｆ5、ＣＦ3（ＣＦ2）3ＣＨ＝ＣＨ（ＣＦ2）3ＣＦ3、ＣＦ3（ＣＦ2）3ＣＨ＝ＣＨＣＦ2ＣＦ（ＣＦ3）2、ＣＦ3（ＣＦ2）3ＣＨ＝ＣＨＣＦ（ＣＦ3）Ｃ2Ｆ5、ＣＦ3（ＣＦ2）3ＣＨ＝ＣＨＣ（ＣＦ3）3、（ＣＦ3）2ＣＦＣＦ2ＣＨ＝ＣＨＣＦ2ＣＦ（ＣＦ3）2、（ＣＦ3）2ＣＦＣＦ2ＣＨ＝ＣＨＣＦ（ＣＦ3）Ｃ2Ｆ5、（ＣＦ3）2ＣＦＣＦ2ＣＨ＝ＣＨＣ（ＣＦ3）3、Ｃ2Ｆ5ＣＦ（ＣＦ3）ＣＨ＝ＣＨＣＦ（ＣＦ3）Ｃ2Ｆ5、Ｃ2Ｆ5ＣＦ（ＣＦ3）ＣＨ＝ＣＨＣ（ＣＦ3）3または（ＣＦ3）3ＣＣＨ＝ＣＨＣ（ＣＦ3）3であることを特徴とする前記１に記載の噴射剤。
４．前記噴射剤が前記フルオロカーボンまたは前記ヒドロフルオロカーボンから本質的になることを特徴とする前記１に記載の噴射剤。
５．前記噴射剤が前記フルオロカーボンまたは前記ヒドロフルオロカーボンからなることを特徴とする前記４に記載の噴射剤。
６．前記１に記載の噴射剤を含むことを特徴とする噴霧可能な組成物。
７．前記噴霧可能な組成物がエアゾールであることを特徴とする前記６に記載の噴霧可能な組成物。
８．前記エアゾールが２１℃で約１３８〜６２１ｋＰａの範囲内の蒸気圧を有することを特徴とする前記７に記載の噴霧可能な組成物。
９．前記噴霧可能な組成物がクリーナー、ダスター、パーソナルケア製品、家庭用製品、自動車用製品または薬であることを特徴とする前記６に記載の噴霧可能な組成物。
１０．前記パーソナルケア製品が消臭剤、香料またはヘアスプレーであることを特徴とする前記９に記載の噴霧可能な組成物。
１１．前記家庭用製品が蝋、艶出剤、皿スプレー、ルームフレッシュナーまたは家庭用殺虫剤であることを特徴とする前記９に記載の噴霧可能な組成物。
１２．前記薬が定量噴霧吸入薬であることを特徴とする前記９に記載の噴霧可能な組成物。
１３．前記薬がベータ作用薬または副腎皮質ステロイドを更に含むことを特徴とする前記９に記載の噴霧可能な組成物。
１４．前記自動車用製品がクリーナーまたはポリッシャーであることを特徴とする前記９に記載の噴霧可能な組成物。
１５．前記１に記載の噴射剤を含むことを特徴とするエアゾール分配装置。
１６．前記１５に記載のエアゾール分配装置を含むことを特徴とする密封容器。
１７．エアゾール分配用バルブを更に含むことを特徴とする前記１６に記載の密封容器。
１８．エアゾール製品を製造する方法であって、噴射剤として機能する前記１に記載の組成物をエアゾール容器内の活性成分に添加する工程を含むことを特徴とする方法。
１９．エアゾール製品を製造する方法であって、噴射剤として機能する前記３に記載の組成物をエアゾール容器内の活性成分に添加する工程を含むことを特徴とする方法。